(57)【特許請求の範囲】
【請求項１】
内部にぬめり取り用の薬剤が充填された環状の薬剤ケースと、該薬剤ケースが下面に装着された状態で流し台のシンク底面に開口した排水口に装着されるゴム蓋とからなるぬめり取り器であって、ゴム蓋に開口部を形成すると共に、薬剤ケースの上面の、ゴム蓋に装着された状態で開口部を介して上方に露出する位置に、薬剤ケース内に排水を導入する導入口を形成し、該導入口から導入された排水に薬剤を溶解させた溶液を排水口内壁に導いて排水口内部のぬめりの発生を防止するものにおいて、上記薬剤ケースの上面の、ゴム蓋で覆われる閉塞部分に、該閉塞部分の略全域に薬剤ケース内の溶液を導く孔部を形成したことを特徴とするぬめり取り器。
【請求項２】
上記閉塞部分に、該閉塞部分の略全域にわたる凹部を形成すると共に上記孔部を該凹部内に溶液を供給し得る位置に形成したことを特徴とする請求項１記載のぬめり取り器。
【請求項３】
上記ゴム蓋の下面であって閉塞部分に対向する位置に、上記孔部からの溶液が流れ込む凹部を形成したことを特徴とする請求項１または請求項２記載のぬめり取り器。
【発明の詳細な説明】
【０００１】
【発明の属する技術分野】
本発明は、流し台のシンク底面に開口した排水口に装着され、排水構内のぬめりを防除するぬめり取り器に関する。
【０００２】
【従来の技術】
従来のこの種のぬめり取り器として、例えば特願２０００−２６２８１８号に記載されているように、水に溶解して溶液になると、この溶液が付着した部分のぬめりの発生を防止し、あるいは既に発生したぬめりを除去する薬剤を収納した薬剤ケースと、この薬剤ケースが下面に装着された状態で流し台のシンク底面に開口した排水口に装着されるゴム蓋とからなるぬめり取り器が知られている。このぬめり取り器では、ゴム蓋に開口部を形成している。一方、薬剤ケースの上面には、ゴム蓋に装着された状態でゴム蓋の開口部を介して上方に露出する位置に、薬剤ケース内に排水を導入する導入口が形成されている。シンク内の排水は排水口に向かって流れるが、排水口にはぬめり取り器が装着されているので、排水はゴム蓋の開口部を通って薬剤ケースの導入口に流れる。すると排水はこの導入口から薬剤ケース内へと流れ込み、内部の薬剤を溶解させ、ぬめりに対する防除効果を有する溶液となって薬剤ケースから流出する。そしてこの流出した溶液は排水口の内壁を伝って下方に流れ、排水口内部の全域に行き渡ってぬめりを防除する。
【０００３】
【発明が解決しようとする課題】
上記従来のぬめり取り器では、ゴム蓋の開口部に合わせて薬剤ケースの上面に導入口を形成するが、この導入口が形成されない部分はゴム蓋の開口部が形成されていない部分によって覆われ、閉塞されることになる。薬剤ケース内で生成される溶液は排水口の内壁に伝うように流出されるので、この閉塞部までは殆ど行き渡らない。そのため、閉塞部周辺にはぬめりが発生し、ぬめり取り器を長時間使用した後、薬剤ケースの交換等によりぬめり取り器を排水口から取り外すと閉塞部周辺が思いのほか汚れている印象を受け、好ましくない。
【０００４】
なお、薬剤ケースに塩素系の薬剤を充填し、薬剤の溶液ではなく薬剤から発生する塩素ガスによりぬめりを防除すれば、閉塞部のぬめりの発生も合わせて防除できる。ところが、塩素系の薬剤を使用すると排水に混ざる漂白剤やその他の薬品と反応して塩素ガスが思いのほか多量に発生することも考えられ、薬剤を塩素系のものにすることは好ましくない。
【０００５】
そこで本発明は、上記の問題点に鑑み、薬剤が溶解した溶液でぬめりを防除するぬめり取り器であっても、ゴム蓋に覆われた閉塞部にぬめりが発生しないぬめり取り器を提供することを課題とする。
【０００６】
【課題を解決するための手段】
上記課題を解決するために本発明によるぬめり取り器は、内部にぬめり取り用の薬剤が充填された環状の薬剤ケースと、該薬剤ケースが下面に装着された状態で流し台のシンク底面に開口した排水口に装着されるゴム蓋とからなるぬめり取り器であって、ゴム蓋に開口部を形成すると共に、薬剤ケースの上面の、ゴム蓋に装着された状態で開口部を介して上方に露出する位置に、薬剤ケース内に排水を導入する導入口を形成し、該導入口から導入された排水に薬剤を溶解させた溶液を排水口内壁に導いて排水口内部のぬめりの発生を防止するものにおいて、上記薬剤ケースの上面の、ゴム蓋で覆われる閉塞部分に、該閉塞部分の略全域に薬剤ケース内の溶液を導く孔部を形成したことを特徴とする。
【０００７】
導入口から多量の排水が薬剤ケース内に流れ込むと、上記孔部が例え薬剤ケースの上面に形成されていても孔部から溶液が溢れ、閉塞部に導かれる。そのため閉塞部にはぬめりに対して防除効果を有する溶液が常に供給されぬめりが発生することがない。
【０００８】
ところで、閉塞部のほぼ全域にわたる大きさの開口部を形成してもよいが、あまり大きな孔部を形成すると孔部から薬剤が露出するので、上記閉塞部分に、該閉塞部分の略全域にわたる凹部を形成すると共に上記孔部を該凹部内に溶液を供給し得る位置に形成し、孔部自体はそれほど大きくならないようにしてもよい。
【０００９】
また、凹部は薬剤ケースの上面に形成してもよいが、上記ゴム蓋の下面であって閉塞部分に対向する位置に、上記孔部からの溶液が流れ込む凹部を形成してもよい。
【００１０】
【発明の実施の形態】
図１を参照して、１は本発明によるぬめり取り器である。このぬめり取り器１はゴム蓋２と、ゴム蓋２に対して下方から装着される薬剤ケース３とから構成されている。ゴム蓋２には本実施の形態では６個の開口部２１が設けられている。
一方、薬剤ケース３には、ゴム蓋２に下方から装着した状態で開口部２１を介して露出する位置にスリット状の導入口３１が形成されている。
【００１１】
薬剤ケース３内には水に溶解して溶液になるとぬめりの原因である細菌を除菌することによってぬめりの発生を防止し、また発生したぬめりを除去する薬剤が充填されている。このぬめり取り器１は流し台のシンクＳの底面に開口する排水口Ｄに装着される。シンクＳ内の排水は排水口Ｄに流れるので、ぬめり取り器１を排水口Ｄに装着すると、流れてきた排水が開口部２１を通って導入口３１から薬剤ケース３内へと流れ込む。
【００１２】
薬剤ケース３内に排水が流れ込むと内部の薬剤が排水に溶解して溶液となり、薬剤ケース３の下部外周に形成した流出口３０から排水口Ｄ内へと流れ出る。流れ出た溶液は排水口Ｄ内の内壁Ｗの全面を伝って下方に流れ、排水口Ｄ内の内壁Ｗに対してぬめりの防除効果を発揮する。
【００１３】
図２から図４を参照して、薬剤ケース３の上面であって、スリット状の導入口３１が形成されたい部分はゴム蓋２によって覆われる閉塞部分になる。この閉塞部分はゴム蓋２によって覆われるため、排水によって濡れると乾きにくく、また流出口３０から流出した溶液が届きにくい。そのため、ぬめりが発生しやすい。
そこで、本実施の形態では、これら６カ所の閉塞部分のほぼ全域にわたる凹部３２・３４を形成し、ゴム蓋２の裏面と閉塞部分とが密着しないようにした。そして、各凹部３２・３４の底面に、各凹部３２・３４の周方向全域に連続するスリット状の孔部３３・３５を形成した。なお、図３及び図４のＣは錠剤型の薬剤である。
【００１４】
このように構成することにより、導入口３１に多くの排水が流れ込むと、薬剤ケース３内の溶液が流出口３０から流出しきれず、孔部３３・３５から凹部３２・３４へと溢れ出す。このようにして凹部３２・３４内には溶液が充満するので閉塞部分のぬめりが防除される。また、薬剤ケース３の上面とゴム蓋２の裏面とはそれほど強く密着しているわけではないので、凹部３２・３４内に充満した溶液はゴム蓋２と薬剤ケース３との間の隙間を伝って、その他の部分にも行き渡る。そのため、ゴム蓋の裏面全面に対してくまなくぬめりが防除される。
【００１５】
なお、上記の実施の形態では閉塞部分に凹部を形成し、凹部より狭い面積の孔部３３を設けたが、凹部と同じ形状の孔部を設けてもよい。また、図５に示すように、ゴム蓋２の下面に、閉塞部分に対向する広さの凹部２２を設けて、この凹部２２内に薬剤ケース３内の溶液を導くようにしてもよい。
【００１６】
【発明の効果】
以上の説明から明らかなように、本発明は、薬剤ケースの上面であって、ゴム蓋によって覆われる閉塞部分にも薬剤ケース内の溶液を導くようにしたので、塩素系の薬剤を用いなくても閉塞部分のぬめりを防除することができる。
【図面の簡単な説明】
【図１】本発明の一実施の形態の構成を示す図
【図２】薬剤ケースの形状を示す斜視図
【図３】  III-III切断面図
【図４】  IV-IV切断面図
【図５】他の実施の形態におけるIII-III切断面図
【符号の説明】
１  ぬめり取り器
２  ゴム蓋
３  薬剤ケース
３２  凹部
３３  孔部
３４  凹部
３５  孔部
Ｃ  薬剤
【図１】
0004564193.tif 000002
【図２】
0004564193.tif 000003
【図３】
0004564193.tif 000004
【図４】
0004564193.tif 000005
【図５】
0004564193.tif 000006